(57)【要約】      （修正有）【課題】複数の種類の計算練習をすることができる計算練習用伝票又は計算練習用伝票の冊子を提供する。【解決手段】計算する数値の位置を指定する位置指定項目部１２と、計算するレベルを指定するレベル指定項目部１３と、計算する複数の数値を表示する計算用数値部２０とを有し、計算用数値部は、位置指定項目部とレベル指定項目部とに基づいて、複数の数値から、計算する数値を特定する。【選択図】図１
0003202932.tif 000002
【実用新案登録請求の範囲】
【請求項１】
計算を練習または学習するための計算練習用伝票であって、
計算する数値の位置を指定する位置指定項目部と、
計算するレベルを指定するレベル指定項目部と、
計算する複数の数値を表示する計算用数値部と
を有し、
前記計算用数値部は、前記位置指定項目部と前記レベル指定項目部とに基づいて、前記複数の数値から、計算する数値を特定する、
ことを特徴とする計算練習用伝票。
【請求項２】
前記位置指定項目部は、表形式の行の項目であり、
前記レベル指定項目部は、前記表形式の列の項目であり、
前記計算用数値部は、前記行の項目と前記列の項目とを用いて、前記計算する数値を特定する、
ことを特徴とする請求項１に記載の計算練習用伝票。
【請求項３】
請求項１又は請求項２に記載の計算練習用伝票を複数束ねた計算練習用伝票の冊子であって、
前記計算練習用伝票は、ページ番号部を更に有する、ことを特徴とする計算練習用伝票の冊子。
【考案の詳細な説明】
【技術分野】
【０００１】
本考案は、計算を練習または学習するための計算練習用伝票に関する。本考案は、計算練習用伝票を複数束ねた計算練習用伝票の冊子に関するものであってもよい。
【背景技術】
【０００２】
そろばんの伝票算では、上段より順次番号を付与した項目（計算する数値を指定する項目）の伝票（例えば図３）を用いるのが一般的である。また、特許文献１には、本文頁の設問スペースに、それぞれ頭部に「ステージ１」，「ステージ２」，・・・・と表示された出題欄が割り付けられ、各出題欄には計算問題が共通の計算型毎にまとめて出題され、各出題欄の右肩にはそれぞれ評価用チェック部としてキャラクタの塗り絵からなるクリアチェックマークが設け、出題欄における最初の計算問題の下側スペース、及び出題欄における最初の計算問題の下側スペースにはそれぞれ図形と数学記号の組み合わせ等による模式的な型表示部が設けられている計算ドリルに関する技術が開示されている。
【先行技術文献】
【特許文献】
【０００３】
【特許文献１】特開２０００−２６３９６９号公報
【考案の概要】
【考案が解決しようとする課題】
【０００４】
しかしながら、伝票算用の伝票は、計算（珠算、暗算など）する数値を指定する項目番号を上段より順次番号を付与しているので、分割して計算を行うことができない場合がある。また、学習レベルの異なる生徒が同じ教室で同じ伝票を使って計算練習することを可能とするために、伝票算用の伝票に「複数の種類の計算」や「学習レベルを変更した計算」ができる機能を付加する技術が求められている。
【０００５】
本考案は、計算を練習または学習するための計算練習用伝票であって、複数の種類の計算練習が可能な計算練習用伝票を提供することを目的とする。また、本考案は、学習レベルを変更した計算をすることができる計算練習用伝票であってもよい。また、本考案は、前述の計算練習用伝票を複数束ねた計算練習用伝票の冊子に関するものであってもよい。
【課題を解決するための手段】
【０００６】
上記課題を解決するために、本考案の一つの実施形態は、計算を練習または学習するための計算練習用伝票であって、計算する数値の位置を指定する位置指定項目部と、計算するレベルを指定するレベル指定項目部と、計算する複数の数値を表示する計算用数値部とを有し、前記計算用数値部は、前記位置指定項目部と前記レベル指定項目部とに基づいて、前記複数の数値から、計算する数値を特定する、ことを特徴とする計算練習用伝票を提供する。
【０００７】
本考案の他の実施形態は、上記の計算練習用伝票であって、前記位置指定項目部は、表形式の行の項目であり、前記レベル指定項目部は、前記表形式の列の項目であり、前記計算用数値部は、前記行の項目と前記列の項目とを用いて、前記計算する数値を特定する、ことを特徴とする計算練習用伝票であってもよい。
【０００８】
本考案の他の実施形態は、上記のいずれか１つの計算練習用伝票を複数束ねた計算練習用伝票の冊子であって、前記計算練習用伝票は、ページ番号部を更に有する、ことを特徴とする計算練習用伝票の冊子であってもよい。
【考案の効果】
【０００９】
本考案に係る計算練習用伝票及び計算練習用伝票の冊子によれば、複数の種類の計算練習をすることができる。また、本考案に係る計算練習用伝票及び計算練習用伝票の冊子によれば、学習レベルを変更した計算をすることができる。
【図面の簡単な説明】
【００１０】
【図１】本考案の実施形態に係る計算練習用伝票の一例を示す平面図である。
【図２】本考案の実施形態に係る計算練習用伝票の冊子の一例を説明する説明図である。
【図３】比較例に係る伝票の例を示す平面図である。
【考案を実施するための形態】
【００１１】
実施形態に係る計算練習用伝票及び計算練習用伝票の冊子の例を用いて、本考案を説明する。なお、本考案は、以後に説明する計算練習用伝票及び計算練習用伝票の冊子以外でも、計算を練習または学習するための問題用紙（紙、テスト用紙、練習用紙、ドリルなど）であれば、いずれのものにも用いることができる。なお、計算練習用伝票及び計算練習用伝票の冊子の素材、色、形状は、特に限定されない。
【００１２】
以後に、本考案の各構成を説明する。
【００１３】
図１及び図２を用いて、本考案の実施形態に係る計算練習用伝票および計算練習用伝票の冊子の構成を説明する。ここで、図１は、本考案の実施形態に係る計算練習用伝票の一例を示す平面図である。図２は、本考案の実施形態に係る計算練習用伝票の冊子の一例を説明する説明図である。なお、図１等に示す計算練習用伝票の構成等は一例であり、本考案は図１等に示す計算練習用伝票等に限定されるものではない。
【００１４】
本考案に係る計算練習用伝票は、計算（珠算、暗算など）を練習または学習するためのもの（紙、テスト用紙、練習用紙、ドリルなど）である。また、本考案に係る計算練習用伝票の冊子は、本考案に係る計算練習用伝票を複数束ねたもの（紙、テスト用紙、練習用紙、ドリルなど）である。図１に示すように、本考案に係る計算練習用伝票１００は、例えば縦７０ｍｍ〜１２０ｍｍ、横１００ｍｍ〜１４０ｍｍの略長方形のシート形状のものであってもよい。なお、本考案に係る計算練習用伝票は、所定のデザインとなるような形状に形成されていてもよく、所定の模様や文字情報などが印字されていてもよい。また、本考案に係る計算練習用伝票は、その表面に、所定の広告（例えば社名、住所、連絡先、商品情報、教室の名称など）を表示するための広告表示スペースを設けてもよい。
【００１５】
図１に示すように、本考案に係る計算練習用伝票１００は、計算する数値の位置を指定する位置指定項目部１２と、計算するレベルを指定するレベル指定項目部１３と、計算する複数の数値を表示する計算用数値部２０とを有する。また、本考案に係る計算練習用伝票の冊子２００（図２）は、計算練習用伝票１００にページの番号を表示するページ番号部１１（図１）を更に有する。下記にて、各構成を具体的に説明する。
【００１６】
ページ番号部１１は、計算練習用伝票１００を複数束ねた冊子を用いる場合に、計算練習用伝票１００の例えば右上にページの番号を表示するものである。なお、ページ番号部１１は、右上以外の部分に表示するものであってもよい。
【００１７】
位置指定項目部１２は、計算する数値の位置を指定するものである。位置指定項目部１２は、本実施形態では、表形式の行の項目である。なお、本考案に係る位置指定項目部は、図１に示すものに限定されるものではない。
【００１８】
レベル指定項目部１３は、計算するレベルを指定するものである。レベル指定項目部１３は、本実施形態では、表形式の列の項目である。なお、本考案に係るレベル指定項目部は、図１に示すものに限定されるものではない。レベル指定項目部１３は、桁数（例えば１桁、2桁、３桁、４桁など）でレベル分けすることができる。
【００１９】
計算用数値部２０は、計算する複数の数値を表示するものである。計算用数値部２０は、本実施形態では、位置指定項目部１２とレベル指定項目部１３とに基づいて、行の項目と列の項目とを用いて、複数の数値から、計算する数値を特定する。なお、本考案に係る計算用数値部は、図１に示すものに限定されるものではない。
【００２０】
図３に、計算練習用伝票の比較例を示す。図３に示すように、比較例の計算練習用伝票は、上段より順次番号を付与した項目（計算する数値を指定する項目）の伝票である。
【００２１】
本考案に係る計算練習用伝票及び計算練習用伝票の冊子は、位置指定項目部の項目番号がランダムな番号の出題になっているので、分割計算ができない。また、本考案に係る計算練習用伝票及び計算練習用伝票の冊子は、複数問題の出題により、伝票以外の練習にも利用もできる。すなわち、本考案に係る計算練習用伝票及び計算練習用伝票の冊子は、伝票算の教材として、伝票以外の使用目的を持った新しい教材である。また、本考案に係る計算練習用伝票及び計算練習用伝票の冊子は、暗算計算の一括指導により、比較例の計算練習用伝票（図３）と比較して、暗算脳力を大幅に向上することに利用することができる。
【００２２】
本考案に係る計算練習用伝票及び計算練習用伝票の冊子は、レベル指定項目部で複数の桁の数値を指定することができるので、珠算式暗算において、３桁や４桁でも一括で計算する能力がつくように指導することができる。この指導により、本考案に係る計算練習用伝票及び計算練習用伝票の冊子によれば、能力の異なる生徒が一堂に会しても練習ができ、能力の違った生徒でも同時進行ができ、使い勝手がいい。また、本考案に係る計算練習用伝票及び計算練習用伝票の冊子によれば、複数の問題を利用することができるので、組合せページも複数設けることができ、緩やかな上達の軌跡で誰でも能力向上を図れる効果を得ることができる。
【００２３】
下記に、本考案に係る計算練習用伝票又は計算練習用伝票の冊子の使用例の一例を説明する。
【００２４】
（１）本考案に係る計算練習用伝票又は計算練習用伝票の冊子は、○ページ〜□ページまでの計算をするとき、ページごとに番号のある場所（位置指定項目部の項目）が違ってくるので、番号を探しながら暗算で計算を行い、併せて１枚ずつ伝票をめくりながら、正確に速く計算を行うことができる。これにより、本考案に係る計算練習用伝票又は計算練習用伝票の冊子によれば、能力によって、３種類の問題のいずれかを計算することができる。また、本考案に係る計算練習用伝票又は計算練習用伝票の冊子によれば、能力によって、計算を行うページの枚数を選択することができる。
【００２５】
（２）本考案に係る計算練習用伝票又は計算練習用伝票の冊子は、各ページを縦に計算することにより、見取暗算としての計算力を高めることができる。
【００２６】
（３）本考案に係る計算練習用伝票又は計算練習用伝票の冊子は、各ページを横に計算することにより、乗暗算としてステップアップを図ることができる。
【００２７】
（４）本考案に係る計算練習用伝票又は計算練習用伝票の冊子は、各ページを横に計算することにより、除暗算としての能力を培うことができる。
【００２８】
（５）本考案に係る計算練習用伝票又は計算練習用伝票の冊子は、各ページを縦に計算することにより、見取算の補数計算の指導を行うことができる。ここで、補数計算とは、途中引けなくなったり、最終の答えで借りたままになっている、マイナス計算の処理とその答えの書き方である。
【００２９】
（６）本考案に係る計算練習用伝票又は計算練習用伝票の冊子は、通常伝票方式（従来型）としての使用ができる。ここで、計算練習用伝票又は計算練習用伝票の冊子は、番号に関係なく、各段ごとに計算をすることができる。
【００３０】
以上のとおり、本考案に係る計算練習用伝票及び計算練習用伝票の冊子によれば、複数の種類の計算練習をすることができる。また、本考案に係る計算練習用伝票及び計算練習用伝票の冊子によれば、学習レベルを変更した計算をすることができる。
【００３１】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００３２】
１００  ：  計算練習用伝票
２００  ：  計算練習用伝票の冊子
１１  ：  ページ番号部
１２  ：  位置指定項目部
１３  ：  レベル指定項目部
２０  ：  計算用数値部
【図１】
0003202932.tif 000003
【図２】
0003202932.tif 000004
【図３】
0003202932.tif 000005
【手続補正書】
【提出日】平成28年1月3日(2016.1.3)
【手続補正１】
【補正対象書類名】実用新案登録請求の範囲
【補正対象項目名】全文
【補正方法】変更
【補正の内容】
【実用新案登録請求の範囲】
【請求項１】
計算を練習または学習するための計算練習用伝票であって、
右側に配置した、計算する数値の位置を指定する位置指定項目部と、
上側に配置した、計算するレベルを指定するレベル指定項目部と、
前記位置指定項目部の左側で且つ前記レベル指定項目部の下側に配置した、計算する複数の数値を表示する計算用数値部と
を有し、
前記計算用数値部は、前記位置指定項目部と前記レベル指定項目部とに基づいて、前記複数の数値から、計算する数値を特定する、
ことを特徴とする計算練習用伝票。
【請求項２】
前記位置指定項目部は、表形式の行の項目であり、
前記レベル指定項目部は、前記表形式の列の項目であり、
前記計算用数値部は、前記行の項目と前記列の項目とを用いて、前記計算する数値を特定する、
ことを特徴とする請求項１に記載の計算練習用伝票。
【請求項３】
請求項１又は請求項２に記載の計算練習用伝票を複数束ねた計算練習用伝票の冊子であって、
前記計算練習用伝票は、ページ番号部を更に有する、ことを特徴とする計算練習用伝票の冊子。